(57)【要約】【課題】植物供水設備の液槽に、植物の成長に有用な微生物と有効な物質を連続的に供給するための連続溶出装置を提供する。【解決手段】小型合併浄化槽からの放流水を蓄える植物供水設備１の液槽２に、曝気装置３および供水装置４と共に設けられ、前記液槽２内に有用な物質を連続的に供給する溶出装置であって、前記液槽２内の液体Ｌを分配室１１に送り込んだ後、その液体Ｌの一部または全部を、複数の流量調整窓１２を介してストックヤード１３に送り、当該ストックヤード１３で微生物群を含む有用物質を混入させた後、前記液槽２に戻す。【選択図】      図１
2004194577.tif 000002
【特許請求の範囲】
【請求項１】
植物供水設備（１）の供給源液槽（２）に，有用な物質を連続的に供給する溶出装置であって、前記液槽内の液体（Ｌ）を分配室（１１）に送り込んだ後，その液体の一部または全部を，流量調整窓（１２）を介してストックヤード（１３）に送り、前記ストックヤードで少なくとも微生物群を含む有用物質を混入させた後，前記液槽に戻してなる植物供水設備用の有用物質連続溶出装置。
【請求項２】
小型合併浄化槽からの放流水を蓄える植物供水設備（１）の液槽（２）に，曝気装置（３）および供水装置（４）が共に設けられ，前記液槽内に土壌に有用な物質を連続的に供給する溶出装置であって、前記液槽内の液体（Ｌ）を分配室（１１）に送り込んだ後，その液体の一部または全部を，流量調整窓（１２）を介してストックヤード（１３）に送り、該ストックヤードで少なくとも微生物群を含む有用物質を混入させた後，前記液槽に戻してなる植物供水設備用の土壌有用物質連続溶出装置。
【請求項３】
小型合併浄化槽からの放流水を蓄える植物供水設備（１）の液槽（２）に，曝気装置（３）および供水装置（４）が共に設けられ，前記液槽内に土壌に有用な物質を連続的に供給する溶出装置であって、前記液槽内の液体（Ｌ）を分配室（１１）に送り込んだ後，その液体の一部を，第一流量調整窓（１２ａ）を介して第一ストックヤード（１３ａ）に送ると共に，第二流量調整窓（１２ｂ）を介して第二ストックヤード（１３ｂ）に送り、前記第一ストックヤードで微生物群を混入させると共に，前記第二ストックヤードで栄養補助剤を混入させた後，少なくとも混合室（１４）を介して前記液槽に戻すと共に、前記液体の残りを少なくとも前記混合室を介して前記液槽に戻してなる植物供水設備用の有用物質連続溶出装置。
【発明の詳細な説明】
【０００１】
【発明の属する技術分野】本発明は、植物に散水や給水するための供水設備において、当該供水設備の供給源液槽に、植物の生育に好適な微生物群や栄養補助剤等の有用な物質を供給するための連続溶出装置に関するものである。
【０００２】
【従来の技術】近年、一般家庭等において、公共用水域に流す放流水を浄化するための小型合併浄化槽が備えられるようになっている。この小型合併浄化槽から流される放流水には、土壌に有用な微生物の栄養分が多く含まれているため、この放流水を、野菜、花、植木等の植物に散水することが考えられている。
【０００３】
【発明が解決しようとする課題】しかし、この小型合併浄化槽からの放流水をそのまま植物に散水するよりも、この放流水に、植物の土壌に有用な微生物に有効な物質を混入して散水する方が、当該植物の生育にはより好ましい。
【０００４】
本発明はこうした問題に鑑み創案されたもので、植物供水設備の液槽に、植物に好適な微生物の追加による安定化と植物の土壌に有用な微生物に有効な栄養分を連続的に供給するための連続溶出装置を提供することを課題とする。
【０００５】
【課題を解決するための手段】図１乃至図７を参照して説明する。請求項１の発明に係る植物供水設備用の有用物質連続溶出装置１０は、植物供水設備１の供給源液槽２に、有用な物質を連続的に供給する溶出装置であって、前記液槽２内の液体Ｌを分配室１１に送り込んだ後、その液体Ｌの一部または全部を、流量調整窓１２を介してストックヤード１３に送り、該ストックヤード１３で少なくとも微生物群を含む有用物質を混入させた後、前記液槽２に戻してなるものである。
【０００６】
請求項２の発明に係る植物供水設備用の有用物質連続溶出装置１０は、小型合併浄化槽からの放流水を蓄える植物供水設備１の供給源液槽２に、曝気装置３および供水装置４が共に設けられ，前記液槽内に土壌に有用な物質を連続的に供給する溶出装置であって、前記液槽２内の液体Ｌを分配室１１に送り込んだ後、その液体Ｌの一部または全部を、流量調整窓１２を介してストックヤード１３に送り、該ストックヤード１３で少なくとも微生物群を含む有用物質を混入させた後、前記液槽２に戻してなるものである。
【０００７】
請求項３の発明に係る植物供水設備用の有用物質連続溶出装置１０は、小型合併浄化槽からの放流水を蓄える植物供水設備１の液槽２に、曝気装置３および供水装置４が共に設けられ、前記液槽２内に土壌に有用な物質を連続的に供給する溶出装置であって、前記液槽２内の液体Ｌを分配室１１に送り込んだ後、その液体Ｌの一部を、第一流量調整窓１２ａを介して第一ストックヤード１３ａに送ると共に、第二流量調整窓１２ｂを介して第二ストックヤード１３ｂに送り、前記第一ストックヤード１３ａで微生物群を混入させると共に、前記第二ストックヤード１３ｂで栄養補助剤を混入させた後、少なくとも混合室１４を介して前記液槽２に戻すと同時に、前記液体Ｌの残りを少なくとも前記混合室１４を介して前記液槽２に戻してなるものである。
【０００８】
【発明の実施の形態】本発明に係る植物供水設備用の土壌有用物質連続溶出装置１０の実施形態を、図１乃至図７に示す。これは、小型合併浄化槽からの放流水を蓄える植物供水設備１の液槽２に、曝気装置３および供水装置４と共に設けられ、液槽２内に土壌に有用な物質を連続的に供給する溶出装置である。この装置は、液槽２内の液体Ｌを分配室１１に連続的に送り込んだ後、その液体Ｌの一部を、第一流量調整窓１２ａを介して第一ストックヤード１３ａに連続的に送ると共に、第二流量調整窓１２ｂを介して第二ストックヤード１３ｂに連続的に送るものである。
【０００９】
また、あらかじめ、第一ストックヤード１３ａには微生物群（固形）を投入しておき、第二ストックヤード１３ｂには栄養補助剤（固形）を投入しておく。また、第一流量調整窓１２ａおよび第二流量調整窓１２ｂは、それぞれ第一スライドゲート１６ａおよび第二スライドゲート１６ｂをスライドさせることによって、そこを通過する液体Ｌの量を自在に調整し、これによって微生物群と栄養補助剤の混入量を調節することができる。
【００１０】
そして、第一ストックヤード１３ａで液体Ｌに溶出する微生物群を少量ずつ連続的に混入させると共に、第二ストックヤード１３ｂで液体Ｌに同じく溶出する栄養補助剤を少量ずつ連続的に混入させた後、それぞれを混合室１４および下部室１５を介して液槽２に戻す。混合室１４と下部室１５の間には開口部１４ａを設けている。また、それと同時に、液体Ｌの残りを、通孔１１ａから混合室１４および下部室１５を介して、流出管１５ａによって液槽２に戻す。なお、混合室１４でこれらの液体Ｌを混合する。
【００１１】
この溶出装置１０の上端部には、蝶番１９で開閉自在とした把手１８ａを有する蓋１８を設けており、この蓋１８を開けた状態で、第一ストックヤード１３ａに元菌株を投入し、第二ストックヤード１３ｂに栄養補助剤を投入する。また、第一ストックヤード１３ａおよび第二ストックヤード１３ｂと混合室１４との間には、複数のスリット１７を形成して液体Ｌの通路としている。
【００１２】
このように、植物供水設備１の液槽２に、植物の生育に好適な微生物群や栄養補助剤といった有用物質を連続的に供給することのできる溶出装置１０を設けたことによって、有用な微生物を効果的に活発化させることができるので、野菜、花、植木等の植物の順調な生育を促すことができる。
【００１３】
本実施形態においては、液槽２内の液体Ｌを、エアリフトポンプ（気泡ポンプ）２０によって分配室１１に送っている。このエアリフトポンプ２０は、揚水管２１と空気管２２とで構成され、空気管２２から吹き出される圧縮空気によって揚水管２１内の液体Ｌの見掛け比重を小さくし、その比重差によって押し上げられる液体Ｌを分配室１１に送るので、可動部分が少なく、故障が少ないと言った利点がある。
【００１４】
なお、液槽２内に、エアリフトポンプ２０を使用するに十分な水深が取れない場合は、ミニポンプ３０によって液槽２内の液体Ｌを分配室１１に送ることができる。
【００１５】
また、本実施形態においては、二つのストックヤード１３を設け、その一つに微生物群を投入し、他方に栄養補助剤を投入しているが、本発明はこれに限定されるものではない。すなわち、ストックヤード１３を一つあるいは三つ以上設け、それらに元菌株や栄養補助剤以外の有用物質を投入することもできる。
【００１６】
本発明は図１〜図７に示した浄化槽に限定されるものではなく、水耕栽培の水の供給源液槽にも適用することが出来るものである。
【００１７】
【発明の効果】請求項１に記載の発明に係る植物供水設備用の有用物質連続溶出装置１０は、液槽２内の液体Ｌにストックヤード１３で少なくとも微生物群を含む有用物質を混入させて液槽２に戻すので、当該液体Ｌに有用物質を連続的かつ容易に混入させることができ、これにより、水耕栽培や土壌に有用な微生物を活発化させ、野菜、花、植木等の植物の順調な生育を促すことができる。
【００１８】
請求項２に記載の発明に係る植物供水設備用の有用物質連続溶出装置１０は、液槽２内の液体Ｌにストックヤード１３で少なくとも微生物群を含む有用物質を混入させて液槽２に戻すので、当該液体Ｌに有用物質を連続的かつ容易に混入させることができ、これにより、水耕栽培や土壌に有用な微生物を活発化させ、野菜、花、植木等の植物の順調な生育を促すことができる。
【００１９】
請求項３に記載の発明に係る植物供水設備用の有用物質連続溶出装置１０は、液槽２内の液体Ｌに第一ストックヤード１３ａで微生物群を混入すると共に、第二ストックヤード１３ｂで栄養補助剤を混入して液槽２に戻すので、当該液体Ｌにこれらの有用物質を連続的かつ容易に混入することができる。これにより、土壌に有用な微生物の活性化を図り、植物の順調な生育を促すことができる。
【図面の簡単な説明】
【図１】本発明に係る連続溶出装置を備えた植物供水設備を示す正面図である。
【図２】図１に示す植物供水設備の平面図である。
【図３】本発明に係る連続溶出装置の実施形態を示す要部正面断面図である。
【図４】図３に示す連続溶出装置の要部平面図である。
【図５】図３に示す連続溶出装置の要部平面断面図である。
【図６】図３に示す連続溶出装置の全体正面図である。
【図７】本発明に係る連続溶出装置の他の実施形態を示す全体正面図である。
【符号の説明】
１        植物供水設備
２        液槽
３        曝気装置
４        供水装置
１０      連続溶出装置
１１      分配室
１１ａ    通孔
１２      流量調整窓
１２ａ    第一流量調整窓
１２ｂ    第二流量調整窓
１３      ストックヤード
１３ａ    第一ストックヤード
１３ｂ    第二ストックヤード
１４      混合室
１４ａ    開口部
１５      下部室
１５ａ    流出管
１６ａ    第一スライドゲート
１６ｂ    第二スライドゲート
１７      スリット
１８      蓋
１８ａ    把手
１９      蝶番
２０      エアリフトポンプ
２１      揚水管
２２      空気管
３０      ミニポンプ
Ｌ        液体
【図１】
2004194577.tif 000003
【図２】
2004194577.tif 000004
【図３】
2004194577.tif 000005
【図４】
2004194577.tif 000006
【図５】
2004194577.tif 000007
【図６】
2004194577.tif 000008
【図７】
2004194577.tif 000009